(57)【要約】【課題】支柱や横フレームの設置完了状態で、パネルを取り付けたり、交換することができ、パネル交換や追加に際して、一方の支柱を取り外す必要がなく、間仕切り装置の設置、変更を、作業性よく、能率よく行えるようにする。【解決手段】上下外寸が、左右の支柱１０と上下の横フレーム２０、３０によって画定される矩形枠の上下内寸より長く、かつ左右外寸が前記矩形枠の左右内寸に等しいか、またはそれより短いパネル６０を用い、上下の横フレーム２０、３０に対するパネル２０の上下縁部の取付けは、パネル２０の上下縁部を上下の横フレーム２０、３０の各々に形成し、凹溝２０２、３０４に入れ戻し方式で嵌め込むことにより行い、左右の支柱１０とパネル２０の左右の側端部との間に形成される間隔を、パネル保持部材６００により閉塞する。【選択図】図１０
2010106586.tif 000002
【特許請求の範囲】
【請求項１】
左右の支柱と上下の横フレームによって画定された矩形枠内に間仕切り用のパネルを取付ける間仕切り装置におけるパネル取付構造であって、
前記パネルの上下外寸を、前記矩形枠の上下内寸より長く、かつ前記パネルの左右外寸を、前記矩形枠の左右内寸に等しいか、またはそれより短くし、前記パネルの下端部を、下方の横フレームの上面に設けた長手方向の凹溝に嵌合し、前記パネルの上端部を、上方の横フレームの下面に設けられ、かつ上方への深さを、前記下方の横フレームの上面に設けた凹溝の深さより大とした長手方向の凹溝に嵌合し、かつ前記パネルの左右の側端部と、それに対向する各支柱の内側面との間に形成される間隙を、パネル保持部材により閉塞したことを特徴とする間仕切り装置におけるパネル取付構造。
【請求項２】
パネル保持部材を、支柱の内側面に設けた長手方向の凹溝に嵌合され、かつパネルの前後いずれか一方の面に当接するパネル保持片を有する保持具本体と、この保持具本体の内側面に設けた長手方向の係合溝に差し込まれ、前記パネルの他方の面に当接するパネル保持片を有する差し込み部材とを備えるものとし、前記両パネル保持片により、前記パネルの側端部を、前後から挾持するようにした請求項１記載の間仕切り装置におけるパネル取付構造。
【発明の詳細な説明】
【技術分野】
【０００１】
本発明は、間仕切り装置におけるパネル取付構造に係わり、特に、左右の支柱と上下の横フレームによって画定された矩形枠内に、間仕切り用のパネルを取付けるパネル取付構造に関する。
【背景技術】
【０００２】
オフィス等の室内空間を仕切る間仕切り装置には、左右の支柱と上下の横フレームによって画定された矩形枠内に、間仕切り用のパネルを嵌め殺し式に固定装着されたものがある（例えば、特許文献１、２参照）。
【０００３】
この種のパネルの取り付けは、パネルの上下外寸を左右の支柱と上下の横フレームによる矩形枠の上下内寸より長く、パネルの左右外寸を同矩形枠の左右内寸より長いものとし、当該パネルの上下縁部を上下の横フレームに形成されたパネル取付凹溝に嵌め込み、同パネルの左右縁部を左右の支柱に形成されたパネル取付凹溝に嵌め込むことにより行われている。
【特許文献１】特許第３４１８８５７号公報
【特許文献２】特開２００２−１３８６０７号公報
【発明の開示】
【発明が解決しようとする課題】
【０００４】
このようなパネル取付構造による間仕切り装置では、その施工手順は、左右の支柱のうちの片側（例えば、右側）の支柱を立設固定し、パネルの左右縁部のうちの片側の縁部を片側の支柱のパネル取付凹溝に嵌め込み、左右の支柱パネルの上下縁部を上下の横フレームのパネル取付凹溝に嵌め込むようにして、横フレームとパネルとを床側のものより、片側の支柱に順次組み付け、その後、反対側（例えば、左側）を立設固定することからなっている。
【０００５】
このため、従来のパネル取付構造では、支柱や横フレームの設置完了状態で、パネルを取り付けたり、交換することができず、パネル交換や追加の際には、一方の支柱を取り外す必要があった。このことにより、従来は、間仕切り装置の設置、変更を、作業性よく、能率よく行うことが難しい。
【０００６】
本発明が解決しようとする課題は、支柱や横フレームの設置完了状態で、パネルを取り付けたり、交換することができ、パネル交換や追加に際して、一方の支柱を取り外す必要がなく、間仕切り装置の設置および位置の変更を、作業性よく、能率よく行えるようにすることである。
【課題を解決するための手段】
【０００７】
本発明によると、上記課題は、次のようにして解決される。
（１）左右の支柱と上下の横フレームによって画定された矩形枠内に間仕切り用のパネルを取付ける間仕切り装置におけるパネル取付構造であって、前記パネルの上下外寸を、前記矩形枠の上下内寸より長く、かつ前記パネルの左右外寸を、前記矩形枠の左右内寸に等しいか、またはそれより短くし、前記パネルの下端部を、下方の横フレームの上面に設けた長手方向の凹溝に嵌合し、前記パネルの上端部を、上方の横フレームの下面に設けられ、かつ上方への深さを、前記下方の横フレームの上面に設けた凹溝の深さより大とした長手方向の凹溝に嵌合し、かつ前記パネルの左右の側端部と、それに対向する各支柱の内側面との間に形成される間隙を、パネル保持部材により閉塞する。
（２）上記（１）項において、パネル保持部材を、支柱の内側面に設けた長手方向の凹溝に嵌合され、かつパネルの前後いずれか一方の面に当接するパネル保持片を有する保持具本体と、この保持具本体の内側面に設けた長手方向の係合溝に差し込まれ、前記パネルの他方の面に当接するパネル保持片を有する差し込み部材とを備えるものとし、前記両パネル保持片により、前記パネルの側端部を、前後から挾持するようにする。
【発明の効果】
【０００８】
本発明によるパネル取付構造によれば、左右の支柱、上下の横フレームを設置し、パネルが装着される矩形枠を画定した状態で、パネルの上下縁部を、上下の横フレームの凹溝に、上端を先に溝に嵌合させてから、全体を後退させて、下端を対向する溝に嵌合させる、入れ戻し方式で嵌め込み、その嵌め込みを完了した後に、パネル保持部材によって、パネルの左右の側縁と支柱との間の間隔を閉塞することができる。
【０００９】
これにより、支柱や横フレームの設置完了状態で、パネルを取り付けたり、交換したりすることができ、パネル交換や追加に際して、一方の支柱を取り外す必要がなく、間仕切り装置の設置、変更を、作業性よく、能率よく行えるようになる。
【発明を実施するための最良の形態】
【００１０】
以下に、本発明による間仕切り装置におけるパネル取付構造の実施形態を、図１〜図１３を参照して説明する。
【００１１】
図１、図２は、本実施形態によるパネル取付構造を適用された間仕切り装置を示している。複数本の支柱１０は、所定間隔をおいて配置されて各々鉛直に床面Ｆより天井面Ｒに至り、下端を床に、上端を天井に各々固定されている。所定間隔をおいて隣接する左右の支柱１０、１０間には、床面Ｆに沿った水平な下部横フレーム２０と、床面Ｆと天井面Ｒとの中間部を水平に延在する中間横フレーム３０、４０と、天井面Ｒに沿った水平の上部横フレーム５０が設けられている。
【００１２】
下部横フレーム２０、中間横フレーム３０、４０、上部横フレーム５０は、各々左右の端部を左右の支柱１０に固定接続されている。
【００１３】
左右の支柱１０と下部横フレーム２０と中間横フレーム３０により画定された下側の矩形枠には、ハニカム構造ボードによる間仕切り用のパネル６０が、左右の支柱１０と、中間横フレーム３０と、もう一つの中間横フレーム４０により画定された中間の矩形枠には、板ガラスによる間仕切り用のパネル７０が、左右の支柱１０と中間横フレーム４０と上部横フレーム５０により画定された上側の矩形枠には、ハニカム構造ボードによる間仕切り用のパネル８０が、各々嵌め込み装着されている。
【００１４】
まず、支柱１０の構造について説明する。支柱１０は、アルミニウム合金製で、図１０〜図１３に示すように、前後左右の四面接続用のものであって、前後左右の各外側面に、立設状態で上下方向に延在するパネル取付用の凹溝１０２、１０４、１０６、１０８を前後対称、左右対称に有し、中央部と四隅に横断面形状が正方形の中空部１１０、１１２、１１４、１１６、１１８を有し、横断面形状（水平断面形状）が市松格子模様の長尺構造体をなしている。
【００１５】
支柱１０の床面Ｆに対する取付構造を、図３、図１１を参照して説明する。床面Ｆの支柱配置位置には、中央と四隅との５個の固定ねじ１２２を用いて、床面取付金具１２０が固定されている。床面取付金具１２０は、床面Ｆに接触する底板部１２０Ａの外縁より起立する４個の起立係合片１２０Ｂを有している。支柱１０は、四隅の中空部１１２、１１４、１１６、１１８の内壁に、各々起立係合片１２０Ｂが係合するように、床面Ｆ上に立設され、前後左右方向の位置を決められる。
【００１６】
支柱１０の天井面Ｒに対する取付構造を、図５を参照して説明する。
天井面Ｒには、複数の支柱１０の配列方向に延在し、上下反転Ｕ形（門形）の横断面形状の長尺の天井レール１５０が、固定ねじ１５２（図９参照）によって固定されている。支柱１０の上端部は、天井レール１５０の内側に嵌合されており、水平片１６０Ａを固定ねじ１６２によって天井レール１５０と共に天井にねじ止めされ、垂直片１６０Ｂをタッピングねじ１６４によって支柱１０の凹溝１０６、１０８の底部１０６Ａ、１０８Ａにねじ止めされたＬ形の取付金具１６０により、天井面Ｒに固定されている。
【００１７】
パネル取付用の凹溝１０６、１０８の底部１０６Ａ、１０８Ａには、取付金具１６０のねじ止めのためのねじ孔（下穴）は設けられておらず、取付金具１６０はタッピングねじ１６４によってセルフタッピング作用のもとに支柱１０にねじ止めされるので、支柱１０と天井面Ｒとの間隔ばらつきに影響されることなく、支柱１０を天井面Ｒに固定することができる。
【００１８】
隣接する左右の支柱１０、１０間の床面Ｆ上には、Ｕ形の横断面形状の長尺のベースフレーム９０が固定ねじ９２によって固定配置されている（図６参照）。ベースフレーム９０は、左右の端部が支柱１０の左右の凹溝１０６、１０８に嵌合されていることにより、左右の支柱１０、１０間の配置位置を決められている。
【００１９】
次に、下部横フレーム２０の構造と取付構造について、図３、図６を参照して説明する。下部横フレーム２０は、アルミニウム合金製で、上方開口の比較的浅いパネル取付用の凹溝２０２と、下方開口の比較的深いフレーム配置用の凹溝２０４とを、水平隔壁２０６によって区切られた形態で、上下に有するＨ形の横断面の長尺フレームである。
【００２０】
ベースフレーム９０の左右の端部付近には、上下反転Ｕ形の横断面の短尺の下部支持金具１３０が配置されている。
【００２１】
下部支持金具１３０は、ベースフレーム９０の内側に配置されて、端部が支柱１０の左右の凹溝１０６、１０８に嵌合されている。下部支持金具１３０の上片部には、貫通孔１３０Ａが設けられ、当該貫通孔１３０Ａに整合する位置に、ナット部材１３２が溶接等によって固定されている。ナット部材１３２には、貫通孔１３０Ａを貫通した高さ調整ねじ部材１３４がねじ係合している。
【００２２】
下部横フレーム２０は、フレーム配置用の凹溝２０４内にベースフレーム９０を受け入れ、高さ調整ねじ部材１３４の頭部１３４Ａの上面によって水平隔壁２０６を支える形態で、ベースフレーム９０を跨ぐようにして上下移動可能に配置されている。
【００２３】
水平隔壁２０６が高さ調整ねじ部材１３４の頭部１３４Ａと対応する位置には、工具孔２０６Ａが貫通形成されている。これにより、下部横フレーム２０を高さ調整ねじ部材１３４の頭部１３４Ａ上に載せ、パネル６０の取付前の状態で、工具孔２０６Ａにねじ回し工具を通して高さ調整ねじ部材１３４を回すことができる。この操作によって、ジッキ式に、下部横フレーム２０の高さ位置の調整、下部横フレーム２０の水平出しが行われる。
【００２４】
次に、中間横フレーム３０の構造と取付構造について、図４、図７を参照して説明する。中間横フレーム３０は、アルミニウム合金製で、上方開口の比較的浅いパネル取付用の凹溝３０２と、下方開口の比較的深いパネル取付用の凹溝３０４とを、水平隔壁３０６によって区切られた形態で、上下に有するＨ形の横断面の長尺フレームである。
【００２５】
中間横フレーム３０の水平隔壁３０６には、その左右端部分にＬ形の取付金具１４０の水平片１４０Ａが、固定ねじ１４２によってねじ止めされている。取付金具１４０は、垂直片１４０Ｂをタッピングねじ１４４に、より支柱１０の凹溝１０６、１０８の底部１０６Ａ、１０８Ａにねじ止めされている。これにより、中間横フレーム３０が支柱１０の所定の高さ位置に固定されている。なお、取付金具１４０と１６０とは共通部品を用いることができる。
【００２６】
パネル取付用の凹溝１０６、１０８の底部１０６Ａ、１０８Ａには、取付金具１４０のねじ止めのためのねじ孔は設けられておらず、取付金具１４０はタッピングねじ１４４によってセルフタッピング作用のもとに支柱１０にねじ止めされるので、中間横フレーム３０の高さ位置を施工現場で任意に設定することができる。
【００２７】
中間横フレーム４０の構造と取付構造は、中間横フレーム３０の構造と取付構造と実質的に同じであるので、ここでは、中間横フレーム４０の構造についてのみ図８を参照して説明し、取付構造についての説明は割愛する。
【００２８】
中間横フレーム４０は、中間横フレーム３０と同様に、アルミニウム合金製で、上方開口の比較的浅いパネル取付用の凹溝４０２と、下方開口の比較的深いパネル取付用の凹溝４０４とを、水平隔壁４０６によって区切られた形態で、上下に有するＨ形の横断面の長尺フレームである。
【００２９】
次に、上部横フレーム５０の構造と取付構造について、図５、図９を参照して説明する。上部横フレーム５０は、アルミニウム合金製で、下方開口の比較的深いパネル取付用の凹溝５０２と、凹溝５０２の両側に延在する底片部５０４、５０６と、底片部５０４、５０６の先端近傍より起立した係止片５０８、５１０とを有するほぼ門形の横断面の長尺フレームである。
【００３０】
上部横フレーム５０は、係止片５０８、５１０と天井レール１５０の側壁１５４、１５６との凹凸係合部１５０Ａによるクリックストップ式の係合によって天井レール１５０に固定されている。上部横フレーム５０は、底片部５０４、５０６によって天井レール１５０の下向きの開口１５０Ｂを閉じている。
【００３１】
次に、各パネル６０、７０、８０の取付構造と施工手順について説明する。各パネル６０、７０、８０の取り付けは、一つの間仕切り装置のすべての支柱１０、下部横フレーム２０、中間横フレーム３０、４０、上部横フレーム５０の設置完了後に行われる。
【００３２】
まず、ハニカム構造ボード製の下部のパネル６０の取付構造と施工手順について、図２、図６、図７、図１０、図１１を参照して説明する。
パネル６０は、上下外寸Ｈｐlが、左右の支柱１０と下部横フレーム２０と中間横フレーム３０とにより画定された矩形枠の上下内寸Ｈｆlより長く（図２参照）、左右外寸Ｗｐlが前記矩形枠の左右内寸Ｗｆlより短い（図２、図１０参照）。
【００３３】
ここでいう、矩形枠の上下内寸Ｈｆｌとは、下部横フレーム２０の上面と、当該下部横フレームより一段上の中間横フレーム３０の下面との間の鉛直方向寸法である。矩形枠の左右内寸Ｗｆｌとは、互いに隣接する左右の支柱１０の右側面と左側面との間の水平方向寸法である。
【００３４】
パネル６０の取り付けに際しては、まず、保持具本体６０２と差し込み部材６１２とにより構成されているパネル保持部材６００の保持具本体６０２だけを、左右の支柱１０の各々の凹溝１０６、１０８に取り付ける。
【００３５】
ここで、パネル保持部材６００の保持具本体６０２と差し込み部材６１２の構成について説明する。保持具本体６０２は、プラスチックス成形品であり、凹溝１０６、１０８に嵌合されて支柱１０に固定されるコの字形横断面の支柱係合部６０４と、凹溝１０６、１０８より前記矩形枠の側に突出して、パネル６０の一方のパネル面に当接するパネル保持片６０６と、パネル保持片６０６の配置部とは凹溝１０６、１０８の溝幅方向に離れた位置において、支柱係合部６０４に形成されて、差し込み部材６２０を差し込まれる係合溝６０８とを有している。パネル保持片６０６の先端部のパネル受け面側にはゴムパッキング６１０が一体成形されている。
【００３６】
差し込み部材６１２は、プラスチックス成形品であり、係合溝６０８に差し込まれる挟み弾発式の二股クリップ部６１４と、前述の矩形枠の側に突出して保持具本体６０２のパネル保持片６０６に対向し、パネル６０の他方のパネル面に当接するパネル保持片６１６とを有している。パネル保持片６１６の先端部のパネル受け面側には、ゴムパッキング６１８が一体成形されている。
【００３７】
なお、係合溝６０８と二股クリップ部６１４との互いの係合部には、互いに係合して抜け止めを行う細かいラック歯形状部６２０が成形されている。
【００３８】
パネル６０の取り付けの説明に戻り、保持具本体６０２の支柱係合部６０４を凹溝１０６、１０８に嵌め込んで、保持具本体６０２を左右の支柱１０に固定した後、下部横フレーム２０と中間横フレーム３０に対するパネル６０の上下縁部の取付けを行う。この取り付けは、パネル６０の上下縁部を、パネル保持片６０６がある側とは前後反対の側から、下部横フレーム２０の凹溝２０２と、中間横フレーム３０の凹溝３０４とに、入れ戻し方式で嵌め込むことにより行われる。
【００３９】
入れ戻し方式の嵌め込みは、まず、パネル６０を前後に少し傾斜させて、パネル６０の上縁部を、溝深さが深い上側の凹溝３０４に差し込む。この差し込みは、パネル６０の下縁部が下部横フレーム２０の上面に載る深さまで行う。その後、パネル６０の下縁部を下側のパネル取付用の凹溝２０２に落とし込む。これにより、下部横フレーム２０の凹溝２０２と、中間横フレーム３０の凹溝３０４とに、パネル６０の上下縁部が係合する。そのために、上側の凹溝３０４の上方への深さは、下側の凹溝２０４の深さより大としてある。
【００４０】
この入れ戻し方式の嵌め込みは、パネル６０の左右外寸Ｗｐlが矩形枠の左右内寸Ｗｆlより短いことにより、左右の支柱１０の設置完了後に行うことができる。
【００４１】
この後に、下部横フレーム２０の凹溝２０２とパネル６０の下縁部との間にパッキング７００を、中間横フレーム３０の凹溝３０４とパネル６０の上縁部との間にパッキング７１０を、各々、嵌め込み、下部横フレーム２０、中間横フレーム３０に対してパネル６０を固定する。
【００４２】
パッキング７００、７１０は、各々、門形の横断面形状を有するプラスチックス製のものであり、パネル６０の平らなパネル面に接合するパネル押さえ片７０２、７１２と、凹溝２０２、３０４の側壁に形成されている係合凹溝２０２Ａ、３０４Ａに係合する係合突部７０４Ａ、７１４Ａを有する係止片７０４、７１４とを有している。
【００４３】
パッキング７００は、パネル６０の両側にあって、下部横フレーム２０の凹溝２０２の側壁とパネル６０のパネル面との間の間隙に差し込まれ、係合凹溝２０２Ａと係合突部７０４Ａとがクリックストップ式に係合することにより、下部横フレーム２０に対して抜け止め固定される。これにより、パネル６０の下縁部は、凹溝２０２の溝幅方向の中央部に固定配置される。
【００４４】
パッキング７１０は、パネル６０の両側にあって、中部横フレーム３０の凹溝３０４の側壁とパネル６０のパネル面との間の間隙に差し込まれ、係合凹溝３０４Ａと係合突部７１４Ａとクリックストップ式に逆止係合することにより、中部横フレーム３０に対して強く抜け止め固定される。これにより、パネル６０の上縁部は、凹溝３０４の溝幅方向の中央部に固定配置される。
【００４５】
なお、パネル６０の上下位置は、パネル６０の下端面が下部横フレーム２０の水平隔壁２０６の上面に当接することにより決まる。
【００４６】
このように、パネル６０の下縁部、上縁部が、凹溝２０２、３０４の溝幅方向の中央部に配置された状態では、パネル６０の一方のパネル面が、左右の支柱１０に取り付けられているパネル保持部材６００の保持具本体６０２のパネル保持片６０６のゴムパッキング６１０に当接する。
【００４７】
上述した入れ戻し方式の嵌め込み完了後に、差し込み部材６１２の二股クリップ部６１４を、保持具本体６０２の係合溝６０８に差し込み、係合溝６０８と二股クリップ部６１４のラック歯形状部６２０を係合させる。これにより、差し込み部材６１２は保持具本体６０２に抜け止め固定される。
【００４８】
このように、係合溝６０８に差し込まれて保持具本体６０２に抜け止め固定された差し込み部材６１２のパネル保持片６１６は、ゴムパッキング６１８をもってパネル６０の他方のパネル面に押し付けられる。
【００４９】
これにより、パネル６０の左右縁部を両パネル面が、保持具本体６０２のパネル保持片６０６と、差し込み部材６１２のパネル保持片６１６とにより、ゴムパッキング６１０、６１８を介して挟み込まれ、左右の支柱１０に固定接続される。以上で、パネル６０の取り付けは完了する。
【００５０】
次に、板ガラス製の中間のパネル７０の取付構造と施工手順について、図２、図７、図８、図１２、図１３を参照して説明する。パネル７０は、上下外寸Ｈｐｍが、左右の支柱１０と下部横フレーム２０と中間横フレーム３０とにより画定された矩形枠の上下内寸Ｈｆｍより長く（図２参照）、左右外寸Ｗｐｍが前記矩形枠の左右内寸Ｗｆｍより短い（図２、図１２参照）。
【００５１】
ここで云う、矩形枠の上下内寸Ｈｆｍは、下部横フレーム２０の上面と当該下部横フレームより一段上の中間横フレーム３０の下面との間の鉛直方向寸法（距離）である。矩形枠の左右内寸Ｗｆｍとは、互いに隣接する左右の支柱１０の右側面と左側面との間の水平方向寸法であり、前述の左右内寸Ｗｆｌに等しい。
【００５２】
パネル７０の取り付けに際しては、まず、保持具本体６３２と差し込み部材６４２とにより構成されているパネル保持部材６３０の保持具本体６３２だけを、左右の支柱１０の各々の凹溝１０６、１０８に取り付ける。また、保持具本体７２２と差し込み部材７３２とにより構成されているパネル保持部材７２０の保持具本体７２２だけを、中間横フレーム３０の上側の凹溝３０２に取り付け、保持具本体７５２と差し込み部材７６２とにより構成されているパネル保持部材７５０の保持具本体７５２だけを、中間横フレーム３０より一段上のもう一つの中間横フレーム４０の下側の凹溝４０４に取り付ける。
【００５３】
ここで、パネル保持部材６３０の保持具本体６３２と差し込み部材６４２の構成について説明する。保持具本体６３２は、プラスチックス成形品であり、凹溝１０６、１０８に嵌り込んで支柱１０に固定されるコの字形横断面形状の支柱係合部６３４と、凹溝１０６、１０８より前記矩形枠の側に突出してパネル７０の一方のパネル面に当接するパネル保持片６３６と、パネル保持片６３６の配置部とは凹溝１０６、１０８の溝幅方向に離れた位置において支柱係合部６３４に形成されて差し込み部材６４２を差し込まれる係合溝６３８とを有する。パネル保持片６３６の先端部のパネル受け面側には、ゴムパッキング６４０が一体成形されている。
【００５４】
差し込み部材６４２は、プラスチックス成形品であり、係合溝６３８に差し込まれる挟み弾発式の二股クリップ部６４４と、前述の矩形枠の側に突出して保持具本体６３２のパネル保持片６３６に対向しパネル７０の他方のパネル面に当接するパネル保持片６４６とを有する。パネル保持片６４６の先端部のパネル受け面側には、ゴムパッキング６４８が一体成形されている。
【００５５】
なお、係合溝６３８と二股クリップ部６４４との互いの係合部には、互いに係合して抜け止めを行うラック歯形状部６５０が成形されている。
【００５６】
次に、パネル保持部材７２０、７５０の保持具本体７２２、７５２と差し込み部材７３２、７６２の構成について説明する。保持具本体７２２、７５２は、プラスチックス成形品であり、凹溝３０４、４０４に嵌り込んで中間横フレーム３０、４０に固定されるコの字形断面形の横フレーム係合部７２４、７５４と、パネル７０の一方のパネル面に当接するパネル保持片７２６、７５６と、パネル保持片７２６、７５６の配置部とは凹溝３０４、４０４の溝幅方向に離れた位置において横フレーム係合部７２４、７５４に形成されて差し込み部材７３２、７６２を差し込まれる係合溝７２８、７５８とを有する。パネル保持片７２６、７５６の先端部のパネル受け面側には、ゴムパッキング７３０、７６０が一体成形されている。
【００５７】
差し込み部材７３２、７６２は、プラスチックス成形品であり、係合溝７２８、７５８に差し込まれる挟み弾発式の二股クリップ部７３４、７６４と、保持具本体７２２、７５２のパネル保持片７２６、７５６に対向しパネル７０の他方のパネル面に当接するパネル保持片７３６、７６６とを有する。パネル保持片７３６、７６６の先端部のパネル受け面側には、ゴムパッキング７３８、７６８が一体成形されている。
【００５８】
なお、係合溝７２８、７５８と二股クリップ部７３４、７６４との互いの係合部には、互いに係合して抜け止めを行うラック歯形状部７４０、７７０が成形されている。
【００５９】
パネル保持部材７２０、７５０と、パネル保持部材６３０との違いは、パネル保持部材６３０ではパネル保持片６３６、６４６が凹溝１０６、１０８より前述の矩形枠内に突出しているが、パネル保持部材７２０、７５０では、その全体が、凹溝３０２、４０４内に納められ、前述の矩形枠内に突出する部分を有さない。
【００６０】
下側のパネル保持部材７２０と、上側のパネル保持部材７５０との相違点は、入れ戻し方式の嵌め込みのために、上側のパネル保持部材７５０の横フレーム係合部７５４の懐深さが、下側のパネル保持部材７２０の横フレーム係合部７２４の懐深さより深くなっている点であり、その他の構成は、パネル保持部材７２０、７５とで実質的に同一である。
【００６１】
パネル７０の取り付けの説明に戻り、保持具本体６３２の支柱係合部６３４を凹溝１０６、１０８に嵌め込んで、保持具本体６０２を左右の支柱１０に固定し、保持具本体７２２、７５２の横フレーム係合部７２４、７５４を凹溝３０２、４０４に嵌め込んで、保持具本体７２２、７５２を上下の中間横フレーム３０、４０に固定した後、中間横フレーム３０、４０に対するパネル７０の上下縁部の取付けを行う。この取り付けは、パネル７０の上下縁部を、パネル保持片６３６がある側とは前後反対の側から、中間横フレーム３０の凹溝３０３と中間横フレーム４０の凹溝４０４に、入れ戻し方式で嵌め込むことにより行われる。
【００６２】
入れ戻し方式の嵌め込みは、まず、パネル７０を前後に少し傾斜させて、先ず、パネル７０の上縁部を懐深さが深い上側の凹溝４０４の横フレーム係合部７５４内に差し込む。この差し込みは、パネル７０の下縁部が下側の中間横フレーム３０の上面に載る深さまで行う。その後、パネル７０の下縁部を下側の凹溝３０２の横フレーム係合部７２４内に落とし込む。これにより、下段の中間横フレーム３０の凹溝３０２と、上段の中間横フレーム４０の凹溝４０４とに、パネル７０の上下縁部が係合する。
【００６３】
この後に、差し込み部材７３２、７６２の二股クリップ部７３４、７６４を保持具本体７２２、７５２の係合溝７２８、７５８に差し込み、係合溝７２８、７５８と二股クリップ部７３４、７６４のラック歯形状部７４０、７７０を係合させる。これにより、差し込み部材７３２、７６２は保持具本体７２２、７５２に抜け止め固定される。
【００６４】
これにより、パネル７０の下縁部は、凹溝３０２の溝幅方向の中央部に固定配置され、パネル７０の上縁部は、凹溝４０４の溝幅方向の中央部に固定配置される。なお、パネル７０の上下位置は、パネル７０の下端面が、横フレーム係合部７２４の内底部に当接することにより決まる。
【００６５】
このように、パネル７０の下縁部、上縁部が、凹溝２０２、３０４の溝幅方向の中央部に配置された状態では、パネル７０の一方のパネル面が、左右の支柱１０に取り付けられているパネル保持部材６３０の保持具本体６３２のパネル保持片６３６のゴムパッキング６４０に当接する。
【００６６】
上述した入れ戻し方式の嵌め込み完了後に、差し込み部材６４２の二股クリップ部６４２を保持具本体６３２の係合溝６３８に差し込み、係合溝６３８と二股クリップ部６４４のラック歯形状部６５０を係合させる。これにより、差し込み部材６４２は保持具本体６３２に抜け止め固定される。
【００６７】
このように、係合溝６３８に差し込まれて保持具本体６３２に抜け止め固定された差し込み部材６４２のパネル保持片６４６は、ゴムパッキング６４８をもってパネル７０の他方のパネル面に押し付けられる。
【００６８】
これにより、パネル７０の左右縁部を両パネル面が、保持具本体６３２のパネル保持片６３６と、差し込み部材６４２のパネル保持片６４６とにより、ゴムパッキング６４０、６４８を介して挟み込まれ、左右の支柱１０に固定接続される。以上で、パネル７０の取り付けは完了する。
【００６９】
ハニカム構造ボード製のパネル８０の取付構造と施工手順は、前述のパネル６００の取付構造と施工手順と実質的に同じであるので、冗長を避けるべく、その説明は省略する。
【００７０】
パネル接続が行われない支柱１０の前後の凹溝１０２、１０４には、カバー部材８００が嵌め込み装着されている。カバー部材１８０は、支柱１００と同じアルミニウム合金製あるいはプラスチック製のものであり、凹溝１０２、１０４を塞ぐコの字形の横断面形状をしており、凹溝１０２、１０４の溝側壁に対応する脚部外面に突部８００Ａを有し、突部８００Ａが凹溝１０２、１０４の各々の溝側壁に形成された係合溝１０２Ａ、１０４Ａに嵌り込むことにより、クリックストップ式に支柱１０に固定されている。
【００７１】
上述したように、本実施形態のパネル取付構造によれば、左右の支柱１０、上下の横フレーム２０、３０、４０を設置し、パネル６０、７０、８０が嵌め殺し式に固定装着される矩形枠を画定した状態で、パネル６０、７０、８０の上下縁部を上下の横フレーム２０と３０、あるいは３０と４０のパネル取付凹溝に入れ戻し方式で嵌め込み、その嵌め込みを完了した後に、パネル保持部材６００、６３０によってパネル６０、７０、８０の左右縁部を左右の支柱１０に固定接続することができる。
【００７２】
これにより、支柱１０や横フレーム２０、３０、４０の設置完了状態で、パネル６０、７０、８０を取り付けたり、交換することができ、パネル交換や追加に際して、一方の支柱１０を取り外すことなく間仕切り装置の設置や変更を、作業性よく、能率よく行えるようになる。
【図面の簡単な説明】
【００７３】
【図１】本発明によるパネル固定構造を適用された間仕切り装置の一つの実施形態を示す斜視図である。
【図２】図１の線ＩＩ−ＩＩに沿った断面図である。
【図３】本実施形態のパネル固定構造における支柱の床面に対する取付部と下部横フレームの取付部を拡大して示す断面図である。
【図４】本実施形態のパネル固定構造における中間横フレームの取付部を拡大して示す断面図である。
【図５】本実施形態のパネル固定構造における支柱の天井面に対する取付部と上部横フレームの取付部拡大して示す断面図である。
【図６】図２のＡ部分を拡大して示す断面図である。
【図７】図２のＢ部分を拡大して示す断面図である。
【図８】図２のＣ部分を拡大して示す断面図である。
【図９】図２のＤ部分を拡大して示す断面図である。
【図１０】図１の線Ｘ−Ｘに沿った断面図。
【図１１】本実施形態のパネル固定構造における支柱とハニカム構造ボード製のパネルとの接続部の拡大横断面図である。
【図１２】図１の線ＸＩＩ−ＸＩＩに沿った断面図である。
【図１３】本実施形態のパネル固定構造における支柱と板ガラス製のパネルとの接続部の拡大横断面図である。
【符号の説明】
【００７４】
１０  支柱
２０  下部横フレーム
３０、４０  中間横フレーム
５０  上部横フレーム
６０、７０、８０  パネル
９０  ベースフレーム
９２  固定ねじ
１０２、１０４、１０６、１０８  凹溝
１１０、１１２、１１４、１１６、１１８  中空部
１２０  床面取付金具
１２２  固定ねじ
１３０  下部支持金具
１３２  ナット部材
１３４  高さ調整ねじ部材
１４０  取付金具
１４２  固定ねじ
１４４  タッピングねじ
１５０  天井レール
１５２  固定ねじ
１５４、１５６  側壁
１６０  取付金具
１６２  固定ねじ
１６４  タッピングねじ
２０２  凹溝
２０４  凹溝
２０６  水平隔壁
３０２、３０４  凹溝
３０６  水平隔壁
４０２、４０４  凹溝
４０６  水平隔壁
５０２  凹溝
５０４、５０６  底片部
５０８、５１０  係止片
６００  パネル保持部材
６０２  保持具本体
６０４  支柱係合部
６０６  パネル保持片
６０８  係合溝
６１０  ゴムパッキング
６１２  差し込み部材
６１４  二股クリップ部
６１６  パネル保持片
６１８  ゴムパッキング
６２０  ラック歯形状部
６３０  パネル保持部材
６３２  保持具本体
６３４  支柱係合部
６３６  パネル保持片
６３８  係合溝
６４０  ゴムパッキング
６４２  差し込み部材
６４４  二股クリップ部
６４６  パネル保持片
６４８  ゴムパッキング
６５０  ラック歯形状部
７００  パッキング
７０２  パネル押さえ片
７０４  係止片
７１０  パッキング
７１２  パネル押さえ片
７１４  係止片
７２０  パネル保持部材
７２２  保持具本体
７２４  支柱係合部
７２６  パネル保持片
７２８  係合溝
７３０  ゴムパッキング
７３２  差し込み部材
７３４  二股クリップ部
７３６  パネル保持片
７３８  ゴムパッキング
７４０  ラック歯形状部
７５０  パネル保持部材
７５２  保持具本体
７５４  支柱係合部
７５６  パネル保持片
７５８  係合溝
７６０  ゴムパッキング
７６２  差し込み部材
７６４  二股クリップ部
７６６  パネル保持片
７６８  ゴムパッキング
７７０  ラック歯形状部
８００  カバー部材
【図１】
2010106586.tif 000003
【図２】
2010106586.tif 000004
【図３】
2010106586.tif 000005
【図４】
2010106586.tif 000006
【図５】
2010106586.tif 000007
【図６】
2010106586.tif 000008
【図７】
2010106586.tif 000009
【図８】
2010106586.tif 000010
【図９】
2010106586.tif 000011
【図１０】
2010106586.tif 000012
【図１１】
2010106586.tif 000013
【図１２】
2010106586.tif 000014
【図１３】
2010106586.tif 000015